(57)【要約】【課題】壁体に対する複数の取付形態を選択的に実施可能とする汎用性の高い断面形状の笠木を提供して、壁体の笠木部分の意匠展開を安価に実現する。  【解決手段】この笠木１は、芯材１１の両側面に表面パネル材１２、１２を張り付けてなる壁体１０の上端部に設けられるものであって、芯材１１の上端面に沿って配される基部２と、この基部２の長手方向に沿った両側面上部から側方へ張り出した一対の張出部３、３とを備えている。張出部３、３の下面には、表面パネル材嵌め込み用の下向き溝６、６が形成され、基部２の下面に下地材２０を重ね合わせた状態において、下地材２０の上面と張出部３、３の下面との間に、壁紙巻き込み用及び化粧材差し込み用の横向き溝７、７が形成される。【選択図】図２
2011153413.tif 000002
【特許請求の範囲】
【請求項１】
芯材（１１）の両側面に表面パネル材（１２）（１２）を張り付けてなる壁体（１０）の上端部に設けられる笠木（１）であって、前記壁体（１０）の芯材（１１）の上端面に沿って配される基部（２）と、この基部（２）の長手方向に沿った両側面上部から側方へ張り出した一対の張出部（３）（３）とを備え、前記壁体（１０）への取り付けに際して、前記表面パネル材（１２）（１２）の上端部を前記芯材（１１）の上端面よりも上方に突出させた状態において、前記張出部（３）（３）の下面に形成した下向き溝（６）（６）に、前記表面パネル材（１２）（１２）の上端部を嵌め込み可能とし、前記表面パネル材（１２）（１２）の上端面と前記芯材（１１）の上端面とを略面一とした状態において、これら上端面に被せた平板状の下地材（２０）の上面と前記張出部（３）（３）の下面との間に形成される横向き溝（７）（７）に、前記表面パネル材（１２）（１２）に貼り付けた壁紙（１６）（１６）の上端部を巻き込み可能とするとともに、前記壁体（１０）の両側面上部に沿って配される化粧材（３０）（３０）の取付部（３２）（３２）を差し込み可能としたことを特徴とする笠木。
【請求項２】
請求項１記載の笠木（１）の取付構造であって、前記基部（２）を前記壁体（１０）の前記芯材（１１）の上端面に取り付けるとともに、前記張出部（３）（３）の下向き溝（６）（６）に、前記壁体（１０）の前記表面パネル材（１２）（１２）の上端部を嵌め込んでなる第１の取付形態と、前記基部（２）を前記壁体（１０）の前記芯材（１１）の上端面に前記下地材（２０）を介して取り付けるとともに、前記下地材（２０）の上面と前記張出部（３）（３）の下面との間の横向き溝（７）（７）に、前記壁紙（１６）（１６）の上端部を巻き込んでなる第２の取付形態と、前記基部（２）を前記壁体（１０）の前記芯材（１１）の上端面に前記下地材（２０）を介して取り付けるとともに、前記下地材（２０）の上面と前記張出部（３）（３）の下面との間の横向き溝（７）（７）に、前記化粧材（３０）（３０）の取付部（３２）（３２）を差し込んでなる第３の取付形態とを、選択的に実施可能としたことを特徴とする笠木の取付構造。
【請求項３】
請求項１記載の笠木（１）の施工方法であって、前記基部（２）を前記壁体（１０）の前記芯材（１１）の上端面に取り付けるとともに、前記張出部（３）（３）の下向き溝（６）（６）に、前記壁体（１０）の前記表面パネル材（１２）（１２）の上端部を嵌め込むようにした第１の取付形態と、前記基部（２）を前記壁体（１０）の前記芯材（１１）の上端面に前記下地材（２０）を介して取り付けるとともに、前記下地材（２０）の上面と前記張出部（３）（３）の下面との間の横向き溝（７）（７）に、前記壁紙（１６）（１６）の上端部を巻き込むようにした第２の取付形態と、前記基部（２）を前記壁体（１０）の前記芯材（１１）の上端面に前記下地材（２０）を介して取り付けるとともに、前記下地材（２０）の上面と前記張出部（３）（３）の下面との間の横向き溝（７）（７）に、前記化粧材（３０）（３０）の取付部（３２）（３２）を差し込むようにした第３の取付形態とを、選択的に実施可能としたことを特徴とする笠木の施工方法。
【発明の詳細な説明】
【技術分野】
【０００１】
この発明は、腰壁や階段壁等の壁体の上端部に設けられる木製の笠木、その取付構造及び施工方法に関する。
【背景技術】
【０００２】
従来より、腰壁や階段壁等の壁体の上端部に設けられる木製の笠木としては、例えば特許文献１や特許文献２に開示されたものが知られている。特許文献１に開示された笠木は、その下面に形成した下向き溝に、壁体の表面パネル材の上端部を嵌め込むようになっている。特許文献２に開示された笠木は、その両側面に形成した横向き溝に、壁体の両側面上部に沿って配される化粧材を差し込んで取り付けるようになっている。
【先行技術文献】
【特許文献】
【０００３】
【特許文献１】特開平１１−４４０７３号公報
【特許文献２】特開平１０−３２５２２４号公報
【発明の概要】
【発明が解決しようとする課題】
【０００４】
一般に、腰壁や階段壁等の壁体における笠木部分は、目立ち易くて室内装飾に与える影響も大きいことから、様々な意匠展開が図られていることが多い。この意匠展開に際しては、単に断面形状の異なる複数種類の笠木を用意するだけでなく、笠木の壁体への取付形態を異ならせることでも対応しているが、従来においては、笠木の種類が多くなりがちで、笠木製作に伴う費用が嵩むといった不具合があった。
【０００５】
すなわち、従来においては、笠木の壁体への取付形態を異ならせるにあたって、それら取付形態毎に断面形状の異なる笠木を用意していた。例えば、特許文献１に開示されているような笠木の取付形態と、特許文献２に開示されているような笠木の取付形態とを選択的に実施して、壁体の笠木部分の意匠展開を図る場合、少なくとも断面形状の異なる２種類の笠木（下面に下向き溝を有する笠木、両側面に横向き溝を有する笠木）を用意する必要があった。
【０００６】
そこで、この発明は、上記の不具合を解消して、壁体に対する複数の取付形態を選択的に実施可能とする汎用性の高い断面形状を有する笠木を提供して、壁体の笠木部分の意匠展開を安価に実現することを目的とする。
【課題を解決するための手段】
【０００７】
この発明の笠木１は、芯材１１の両側面に表面パネル材１２、１２を張り付けてなる壁体１０の上端部に設けられるものであって、前記壁体１０の芯材１１の上端面に沿って配される基部２と、この基部２の長手方向に沿った両側面上部から側方へ張り出した一対の張出部３、３とを備え、前記壁体１０への取り付けに際して、前記表面パネル材１２、１２の上端部を前記芯材１１の上端面よりも上方に突出させた状態において、前記張出部３、３の下面に形成した下向き溝６、６に、前記表面パネル材１２、１２の上端部を嵌め込み可能とし、前記表面パネル材１２、１２の上端面と前記芯材１１の上端面とを略面一とした状態において、これら上端面に被せた平板状の下地材２０の上面と前記張出部３、３の下面との間に形成される横向き溝７、７に、前記表面パネル材１２、１２に貼り付けた壁紙１６、１６の上端部を巻き込み可能とするとともに、前記壁体１０の両側面上部に沿って配される化粧材３０、３０の取付部３２、３２を差し込み可能としたことを特徴とする。
【０００８】
この発明の上記笠木１の取付構造は、前記基部２を前記壁体１０の前記芯材１１の上端面に取り付けるとともに、前記張出部３、３の下向き溝６、６に、前記壁体１０の前記表面パネル材１２、１２の上端部を嵌め込んでなる第１の取付形態と、前記基部２を前記壁体１０の前記芯材１１の上端面に前記下地材２０を介して取り付けるとともに、前記下地材２０の上面と前記張出部３、３の下面との間の横向き溝７、７に、前記壁紙１６、１６の上端部を巻き込んでなる第２の取付形態と、前記基部２を前記壁体１０の前記芯材１１の上端面に前記下地材２０を介して取り付けるとともに、前記下地材２０の上面と前記張出部３、３の下面との間の横向き溝７、７に、前記化粧材３０、３０の取付部３２、３２を差し込んでなる第３の取付形態とを、選択的に実施可能としたことを特徴とする。
【０００９】
この発明の上記笠木１の施工方法は、前記基部２を前記壁体１０の前記芯材１１の上端面に取り付けるとともに、前記張出部３、３の下向き溝６、６に、前記壁体１０の前記表面パネル材１２、１２の上端部を嵌め込むようにした第１の取付形態と、前記基部２を前記壁体１０の前記芯材１１の上端面に前記下地材２０を介して取り付けるとともに、前記下地材２０の上面と前記張出部３、３の下面との間の横向き溝７、７に、前記壁紙１６、１６の上端部を巻き込むようにした第２の取付形態と、前記基部２を前記壁体１０の前記芯材１１の上端面に前記下地材２０を介して取り付けるとともに、前記下地材２０の上面と前記張出部３、３の下面との間の横向き溝７、７に、前記化粧材３０、３０の取付部３２、３２を差し込むようにした第３の取付形態とを、選択的に実施可能としたことを特徴とする。
【発明の効果】
【００１０】
この発明の笠木においては、その張出部の下面に、表面パネル材嵌め込み用の下向き溝が形成され、下地材の上面と張出部の下面との間に、壁紙巻き込み用及び化粧材差し込み用の横向き溝が形成されるようになっていて、壁体に対する複数の取付形態（第１〜第３の取付形態）を選択的に実施可能とする汎用性の高い断面形状を有している。
【００１１】
これにより、笠木の断面形状を共通にして笠木製作に伴う費用を削減しながらも、壁体への取付形態にバリエーションを持たせることができ、壁体の笠木部分の意匠展開を安価に実現することができる。
【図面の簡単な説明】
【００１２】
【図１】この発明の一実施形態に係る笠木を設けた壁体の破断斜視図である。
【図２】笠木の縦断面図である。
【図３】笠木の第１の取付形態を示す図である。
【図４】笠木の第２の取付形態を示す図である。
【図５】笠木の第３の取付形態を示す図である。
【図６】種類の異なる化粧材を使用した笠木の第３の取付形態を示す図である。
【発明を実施するための形態】
【００１３】
以下、この発明の実施形態を図面に基づいて詳細に説明する。この発明の一実施形態に係る笠木１は、図１に示すように、腰壁や階段壁等の壁体１０の上端部に被せるようにして設けられる。
【００１４】
壁体１０は、芯材１１の両側面に表面パネル材１２、１２を張り付けてなる。芯材１１は、上下の横枠材１３、１４と、これら横枠材１３、１４間に跨る複数の縦枠材１５・・とを枠状に組み付けてなる。また、表面パネル材１２、１２は、例えば石膏ボード等からなり、その表面全体には壁紙（クロス）１６、１６が夫々貼り付けられている。
【００１５】
笠木１は、図１及び図２に示すように、長手方向に略Ｔ字状の同一断面を有する木製の長尺材からなり、壁体１０における芯材１１の上端面（上側の横枠材１３の上面）に沿って配される基部２と、この基部２の長手方向に沿った両外側面上部から側方へ張り出した一対の張出部３、３とを備えている。
【００１６】
基部２は、断面略長方形状に形成され、その厚みが例えば約３０ｍｍとなっている。各張出部３は、薄肉の根元部位４と、その根元部位４よりも僅かに下方へ突出した厚肉の先端部位５を備え、断面略Ｌ字状に形成されている。そして、張出部３、３は、それら上面が基部２の上面と面一とされ、先端部位５、５の下面が基部２の下面よりも例えば約１５ｍｍ上方に配されている。
【００１７】
そして、この笠木１においては、その張出部３、３の下面に、表面パネル材嵌め込み用の下向き溝６、６が夫々形成され、また基部２の下面に後述する平板状の下地材２０を重ね合わせた状態において、下地材２０の上面と張出部３、３の下面との間に、壁紙巻き込み用及び化粧材差し込み用の横向き溝７、７が形成されるようになっている。
【００１８】
下向き溝６は、基部２の外側面と張出部３の先端部位５の内側面とによって溝壁が構成され、張出部３の根元部位４の下面によって溝底が構成されている。また、横向き溝７は、下地材２０の上面と張出部３の根元部位４及び先端部位５の下面とによって溝壁が構成され、基部２の外側面によって溝底が構成されている。
【００１９】
次に、上記構成の笠木１の取り付け（施工）について説明する。この取り付け（施工）に際しては、笠木１の壁体１０への取付形態が少なくとも３通り用意されており、これら３通りの取付形態を選択的に実施可能となっている。
【００２０】
第１の取付形態の実施に際しては、図１及び図３に示すように、笠木１の基部２を壁体１０の芯材１１の上端面に直接取り付ける。壁体１０においては、一対の表面パネル材１２、１２の上端部を芯材１１の上端面よりも上方に突出させるようにして、一対の表面パネル材１２、１２を芯材１１の両側面に張り付けてある。
【００２１】
そして、突出させた一対の表面パネル材１２、１２の上端部を、その直上に位置する笠木１の張出部３、３の下面に形成した下向き溝６、６に嵌め込むようにしている。この第１の取付形態においては、壁体１の笠木部分がシンプルですっきりとした意匠となる。
【００２２】
第２の取付形態の実施に際しては、図４に示すように、笠木１の基部２を壁体１０の芯材１１の上端面に平板状の下地材２０を介して取り付ける。壁体１０においては、一対の表面パネル材１２、１２の上端面と芯材１１の上端面とが略面一となるようにして、一対の表面パネル材１２、１２を芯材１１の両側面に張り付けてある。下地材２０は、その厚さが例えば約４ｍｍ、その幅が例えば壁体１０の幅と略同じ寸法となっていて、壁体１０の上端面（互いに略面一とされている一対の表面パネル材１２、１２の上端面と芯材１１の上端面）に被せられている。なお、下地材２０は、笠木１の基部２の下面に先付けして、笠木１と同時に取り付けるのが施工上望ましいが、笠木１とは別体として別々に取り付けるようにしても良い。
【００２３】
そして、下地材２０の上面と笠木１の張出部３、３の下面との間に形成される横向き溝７、７に、表面パネル材１２、１２の表面に貼り付けた壁紙（クロス）１６、１６の上端部を巻き込むようにしている。なお、この壁紙１６、１６の上端部の巻き込みに際して、下地材２０の長手方向に沿った両端部のテーパー部分２１、２１にパテ材２２、２２を充填して、壁紙（クロス）１６、１６の切れを防止している。この第２の取付形態においては、壁体１の笠木部分に横向き溝７、７が長手方向に沿って直線状に表れて、第１の取付形態とは異なる立体感のある意匠となる。
【００２４】
第３の取付形態の実施に際しては、図５及び図６に示すように、第２の取付形態のときと同様に、笠木１の基部２を壁体１０の芯材１１の上端面に平板状の下地材２０を介して取り付ける。壁体１０においては、一対の表面パネル材１２、１２の上端面と芯材１１の上端面とが略面一となるようにして、一対の表面パネル材１２、１２を芯材１１の両側面に張り付けてある。
【００２５】
そして、下地材２０の上面と笠木１の張出部３、３の下面との間に形成される横向き溝７、７に、表面パネル材１２、１２の表面に貼り付けた壁紙（クロス）１６、１６の上端部を巻き込むとともに、化粧材３０、３０を取り付けている。化粧材３０は、壁体１０の表面パネル材１２の上端部に重ね合わされる本体部３１と、この本体部３１の上端から側方へ張り出した取付部３２とを備え、断面略Ｌ字状に形成されている。そして、化粧材３０、３０は、それら取付部３２、３２を横向き溝７、７に差し込むことによって、壁体１０の両側面上部に沿って配される。この第３の取付形態においては、壁体１の笠木部分に化粧材３０、３０が長手方向に沿って直線状に表れて、第１の取付形態や第２の取付形態とは異なる装飾性のある意匠となる。
【００２６】
なお、図５に示す化粧材３０、３０においては、その本体部３１、３１の外側面がフラットになっているのに対し、図６に示す化粧材３０、３０においては、その本体部３１、３１の外側面に横溝３１ａ、３１ａが形成されている。このように、化粧材３０、３０として、形状や大きさの異なる複数種類のものを用意しておくことで、壁体１０の笠木部分の意匠展開を充実させることができる。
【００２７】
以上のように、笠木１の断面形状を、少なくとも第１〜第３の取付形態を選択的に実施可能とする汎用性の高い形状としているので、従来のように壁体への取付形態が異なる毎に断面形状の異なる笠木を用意することなく、笠木１の断面形状を共通にして笠木製作に伴う費用を削減しながらも、壁体１への取付形態にバリエーションを持たせることができ、壁体１０の笠木部分の意匠展開を安価に実現することができる。
【００２８】
また、複数種類の化粧材３０、３０を用意することで、化粧材３０、３０の着脱や交換によって、壁体１０の笠木部分の意匠展開をさらに幅広く実現することができ、インテリアイメージを変える簡易リフォームも容易となる。
【００２９】
この発明は、上記実施形態に限定されるものではなく、この発明の範囲内で上記実施形態に多くの修正及び変更を加え得ることは勿論である。
【符号の説明】
【００３０】
１・・笠木、２・・基部、３・・張出部、６・・下向き溝、７・・横向き溝、１０・・壁体、１１・・芯材、１２・・表面パネル材、１６・・壁紙、２０・・下地材、３０・・化粧材、３２・・取付部
【図１】
2011153413.tif 000003
【図２】
2011153413.tif 000004
【図３】
2011153413.tif 000005
【図４】
2011153413.tif 000006
【図５】
2011153413.tif 000007
【図６】
2011153413.tif 000008